(57)【要約】【課題】記録媒体の平滑度を高精度に検出することができる画像形成装置を提供すること。【解決手段】画像形成装置は、記録媒体Ｐに光を照射する光源５１と、光源より照射され記録媒体によって反射された正反射光の光の強度を検出する光検出器５３と、を有し、光検出器５３によって検出された光の強度によって記録媒体の平滑度を検出する光学センサ５０を備えている。光学センサ５０は、記録媒体Ｐの搬送される記録媒体搬送路の異なる位置に複数配置され、かつ、複数の光学センサ５０Ａ〜５０Ｃにおける光源５１と光検出器５３とを結ぶ線分の方向が平行になるように配置されている。【選択図】図５
2015079211.tif 000002
【特許請求の範囲】
【請求項１】
記録媒体に光を照射する光源と、前記光源より照射され該記録媒体によって反射された正反射光の光の強度を検出する光検出器と、を有し、前記光検出器によって検出された光の強度によって前記記録媒体の平滑度を検出する平滑度検出手段を備えた画像形成装置であって、
前記平滑度検出手段が前記記録媒体の搬送される記録媒体搬送路の異なる位置に複数配置され、かつ、複数の前記平滑度検出手段における前記光源と前記光検出器とを結ぶ線分の方向が平行になるように配置されていることを特徴とする画像形成装置。
【請求項２】
複数の前記平滑度検出手段は、前記記録媒体搬送路を搬送される前記記録媒体の表面との間隔が互いに異なるように配置されていることを特徴とする請求項１に記載の画像形成装置。
【請求項３】
複数の前記平滑度検出手段は、前記光源と前記光検出器とを結ぶ線分の方向が、前記記録媒体の搬送方向と平行となるように配置されていることを特徴とする請求項１又は２に記載の画像形成装置。
【請求項４】
複数の前記平滑度検出手段の各々が、前記記録媒体の搬送方向の所定範囲において、前記光源の複数回の照射で取得する複数回の正反射光の光の強度に対応する平滑度の平均値を算出する制御手段を更に有し、前記制御手段は、算出した平滑度の平均値が所定値以上である平滑度検出手段の平滑度を、前記記録媒体の正規の平滑度として確定することを特徴とする請求項１ないし３のいずれか１の請求項に記載の画像形成装置。
【請求項５】
複数の前記平滑度検出手段の中から、前記記録媒体によって反射された正反射光の光の強度が所定値以上の平滑度検出手段を指定する制御手段を更に有し、前記制御手段は、指定した平滑度検出手段からの平滑度を、前記記録媒体の正規の平滑度として確定することを特徴とする請求項１ないし３のいずれか１の請求項に記載の画像形成装置。
【請求項６】
前記制御手段によって確定された前記記録媒体の平滑度により、前記記録媒体に転写された画像の定着に必要な熱供給量を制御する定着装置を更に備えることを特徴とする請求項１ないし請求項４又は５に記載の画像形成装置。
【発明の詳細な説明】
【技術分野】
【０００１】
本発明は、電子写真方式等を利用した画像形成装置に関する。
【背景技術】
【０００２】
デジタル複写機、レーザプリンタ、ファクシミリ装置又はそれらの複合機等の画像形成装置は、記録紙等の記録媒体にトナー像を転写して、所定の条件で加熱及び加圧することにより、トナー像を記録媒体に定着させて画像を形成する。
【０００３】
画像形成装置においては、トナー像を定着させるための加熱量の条件及び加圧の条件を設定することが重要である。特に、高画質の画像を形成するためには、記録媒体の条件、例えば、種類、材質、厚さ、湿度、平滑性、インクや塗料等をコーティング又は印刷した塗工紙の塗工状態、搬送モータ起動時の初期搬送等の条件に応じてトナー定着条件を個別に設定する必要がある。画像品質は、このような条件に大きく影響されるからである。
【０００４】
記録媒体の種類は、近年の画像形成装置の進歩及び表現方法の多様化に伴って数百種類に及ぶ。例えば、普通紙、グロスコート紙、マッコート紙、アートコート紙等の塗工紙、ＯＨＰシート等の他に、紙の表面にエンボス加工を施した特殊紙も存在する。
【０００５】
また、各々の記録媒体の種類において坪量や厚さ等の違いにより多岐にわたる銘柄が存在する。例えば、紙の記録媒体においては、坪量６０〜９０ｇ／ｍ２を普通紙、９１〜１０５ｇ／ｍ２を中厚紙、１０６〜２００ｇ／ｍ２を厚紙といった具合に、坪量に応じた分類がなされている。
【０００６】
このような記録媒体においては、銘柄ごとに定着温度や搬送速度等を設定することが一般的に行われている。記録媒体の坪量情報はパッケージ等に明記されているので、ユーザは、普通紙、中厚紙、厚紙を表す坪量情報に基づいて、定着温度や搬送速度等の記録媒体の条件を操作部で予め設定することができる。
【０００７】
一方、記録媒体の平滑性については、パッケージ等に明記されていないのが普通である。平滑性を表す指標として平滑度がある。平滑度は、記録媒体の表面と試験板とを密着させたときに、その間を一定量の空気が流れる時間（単位は、秒）で表したものである。このため、画像形成装置において搬送中の記録媒体の平滑度を空気の流れで検出することは、時間的にもコストの上でも極めて困難である。
【０００８】
記録媒体の平滑度と、定着によって形成される画像の品質との間には、極めて高い相関性がある。その理由は、記録媒体の表面の凹凸の程度すなわち平滑度が低い（表面が粗い）場合には、凹部におけるトナー像の定着率が悪くなるからである。このため、記録媒体の平滑度を考慮してトナー定着条件を設定しない場合には、高画質の画像を得ることができず、定着不良により異常画像を形成するおそれもある。
【０００９】
したがって、記録媒体の平滑度を把握することは、高画質の画像を得るために必須の条件である。そこで、従来から平滑度と相関性がある表面粗さ（凹凸状態）や表面における光の反射を計測するセンサが検討されている。
【００１０】
例えば、触針式プローブにより記録媒体の表面の摩擦抵抗を検出することで表面粗さを検出する方法が提案されている（例えば、特許文献１参照）。ただし、この方法は、針と記録媒体とが接触するため、記録媒体の表面が損傷するという問題がある。そこで、記録媒体に非接触で平滑度を検出する方法が提案されている。
【００１１】
非接触によって平滑度を検出する方法の例として、反射光の光の強度を計測するセンサを用いた光学センサ及び画像形成装置が提案されている。この提案による光学センサは、光源の光を記録媒体に照射し、記録媒体における反射光の光の強度を検出する光検出器を有する。画像形成装置は、光検出器で検出された光の強度に基づいて記録媒体の平滑度を算出する構成になっている（例えば、特許文献２参照）。
【００１２】
非接触によって平滑度を検出する方法の他の例として、シート材（記録媒体）の表面で反射させる光を発光する第１の発光手段と、発光タイミングをずらしてシート材を透過させる光を発光する第２の発光手段と、を有するシート材材質判別装置が提案されている。この装置は、シート材の表面で反射した反射光とシート材を透過した透過光を、時間をずらして個別に受光する１つの受光手段と、を有する構成になっている（例えば、特許文献３参照）。
【００１３】
更に、この装置は、１つの発光手段と、発光手段から発射されてシート材の表面で反射した反射光を受光する第１の受光手段と、発光手段から発射されてシート材を透過した透過光を受光する第２の受光手段と、を有する構成になっている。
【００１４】
非接触によって平滑度を検出する方法ではないが、記録媒体の有無を非接触で検出する画像形成装置が提案されている。この画像形成装置は、給紙部に収容された記録材の種類を判別する反射型光学センサを備え、その反射型光学センサからの検出出力に基づいて、給紙部に収容された記録材の有無と給紙部の有無とを判別する判別手段を有する構成になっている（例えば、特許文献４参照）。
【発明の概要】
【発明が解決しようとする課題】
【００１５】
一方、反射光の光の強度を計測するセンサを用いた方法による記録媒体の平滑度の検出精度は、平滑度を検出するセンサと記録媒体搬送路の中を通過する記録媒体との間隔に大きく依存する。しかしながら、記録媒体は、その種類、材質、厚さ、湿度、塗工状態、初期搬送、搬送ローラの動き等の条件によって、記録媒体搬送路の中で湾曲したり、波打ったりすることで、記録媒体がたどる搬送経路（これを「搬送性」という）が不安定になる。
【００１６】
記録媒体の搬送性が不安定になると、平滑度を検出するセンサと記録媒体との間隔が変動するので、平滑度の検出精度が著しく低下する。したがって、定着部材への供給熱量の最適化が図れず、省エネ性が低下するとともに、定着不良による異常画像を生じるという問題があった。近年では、多種多様な記録媒体の使用のニーズが高まりつつあるので、記録媒体の搬送性は更に不安定になりやすい状況が懸念されている。
【００１７】
更に、記録媒体の繊維の方向性である「すき目」に起因する検出誤差が発生する場合がある。これは、記録媒体で反射する光の強度を計測するセンサを用いた場合に、光の方向、記録媒体のすき目の方向、及び記録媒体の搬送性の相互関係によって、記録媒体で反射する光の強度が変動する原因が把握できないからである。
【００１８】
本発明は、上述のような事情に鑑みてなされたもので、記録媒体の平滑度を高精度に検出することができる画像形成装置を提供することを目的とする。
【課題を解決するための手段】
【００１９】
本発明に係る画像形成装置は、上記目的を達成するために、記録媒体に光を照射する光源と、前記光源より照射され該記録媒体によって反射された正反射光の光の強度を検出する光検出器と、を有し、前記光検出器によって検出された光の強度によって前記記録媒体の平滑度を検出する平滑度検出手段を備えた画像形成装置であって、前記平滑度検出手段が前記記録媒体の搬送される記録媒体搬送路の異なる位置に複数配置され、かつ、複数の前記平滑度検出手段における前記光源と前記光検出器とを結ぶ線分の方向が平行になるように配置されていることを特徴とする。
【発明の効果】
【００２０】
本発明によれば、記録媒体の平滑度を高精度に検出することができる画像形成装置を提供することができる。
【図面の簡単な説明】
【００２１】
【図１】本発明の実施の形態に係る画像形成装置の概略断面図である。
【図２】本発明の実施の形態に係る光学センサの概略図である。
【図３】本発明の実施の形態に係る画像形成装置の機能ブロック図である。
【図４】本発明の実施の形態に係る定着装置の定着処理を説明する図である。
【図５】本発明の実施の形態に係る複数の光学センサの配置位置を説明する図である。
【図６】本発明の実施の形態に係る複数の光学センサの配置と記録媒体のすき目方向との関係を示す図である。
【発明を実施するための形態】
【００２２】
以下、本発明の実施の形態の画像形成装置について、図面を参照して説明する。
【００２３】
図１は、電子写真方式の画像形成装置における内部構成の一例を概略で示した断面図である。画像形成装置１は、画像形成装置本体１００と、画像読取装置２００と、両面ユニット３００とを有する。
【００２４】
画像形成装置本体１００は、普通紙、グロスコート紙、マッコート紙、アートコート紙、ＯＨＰシート、エンボス加工を施した特殊紙その他の記録媒体にトナー像を転写する。そして、記録媒体に転写したトナー像に熱を供給して、記録媒体に画像を定着する定着装置を備えている。
【００２５】
画像読取装置２００は、原稿シート搬送装置から搬送された原稿シート及び読取面に載置された固定原稿の画像を読み取る機能を有するスキャナ装置である。
【００２６】
両面ユニット３００は、記録媒体の両面に画像を印刷するための機構を備えている。両面ユニット３００は、画像形成装置本体１００によって一方の面に画像が印刷された記録媒体をスイッチバックさせて、再び画像形成装置本体１００の内部に搬送する。
【００２７】
画像形成装置本体１００は、中間転写ベルト１１と、作像装置１２（１２ｃ、１２ｍ、１２ｙ、１２ｋ）と、露光装置１３と、給紙装置１４と、記録媒体搬送路１６と、給紙コロ１７と、胴内排紙部１８と、排紙装置２３とを備えている。また、画像形成装置本体１００は、一次転写装置２５（２５ｃ、２５ｍ、２５ｙ、２５ｋ）と、光学センサ５０と、定着装置６０とを備えている。
【００２８】
次に、これらの構成要素及びその他の構成要素の位置及び基本的な機能等について説明する。
【００２９】
画像形成装置本体１００の上下方向のほぼ中間位置には、中間転写ベルト１１が配置されている。中間転写ベルト１１は、画像形成装置本体１００内に設けられた複数のローラに掛け回され、ほぼ水平に張り渡された無端状（エンドレス）のベルトであり、図１において、反時計方向に回転して走行するように構成されている。
【００３０】
中間転写ベルト１１の下側には、作像装置１２（１２ｃ、１２ｍ、１２ｙ、１２ｋ）が配置されている。作像装置１２ｃ、１２ｍ、１２ｙ、１２ｋは、それぞれシアン、マゼンタ、イエロー、ブラックの各色に対応し、中間転写ベルト１１の下方において中間転写ベルト１１の走行方向に沿って四連タンデム式に配列されている。
【００３１】
中間転写ベルト１１と作像装置１２との間には、一次転写装置２５（２５ｃ、２５ｍ、２５ｙ、２５ｋ）が配置されている。すなわち、一次転写装置２５ｃ、２５ｍ、２５ｙ、２５ｋは、各作像装置１２ｃ、１２ｍ、１２ｙ、１２ｋの像担持体と中間転写ベルト１１との双方に接するように設けられている。
【００３２】
一次転写装置２５ｃ、２５ｍ、２５ｙ、２５ｋは、各作像装置１２ｃ、１２ｍ、１２ｙ、１２ｋの像担持体上のトナー像を順次中間転写ベルト１１上に一次転写することで、所望のカラー画像を形成する。
【００３３】
作像装置１２ｃ、１２ｍ、１２ｙ、１２ｋは、図１において、時計方向に回転するドラム状の像担持体、像担持体の周囲に設けられた帯電装置、現像装置、転写装置、クリーニング装置等（個々の詳細な説明は省略する）によって構成されている。
【００３４】
作像装置１２ｃ、１２ｍ、１２ｙ、１２ｋの下側には、露光装置１３が配置されている。露光装置１３は、画像読取装置２００によって読み取られた原稿画像の各色のトナー像に対応した潜像を、帯電装置によって帯電した各作像装置１２ｃ、１２ｍ、１２ｙ、１２ｋの像担持体上に写す。
【００３５】
各作像装置１２ｃ、１２ｍ、１２ｙ、１２ｋで使用する各色のトナーは、必要に応じて中間転写ベルト１１の上側に配置したトナータンク２６ｃ、２６ｍ、２６ｙ、２６ｋから補充される。
【００３６】
露光装置１３の下側には、給紙装置１４が配置されている。給紙装置１４は、記録媒体Ｐを積層して収納する複数の給紙カセット１５を有する。なお、図１においては、２つの給紙カセット１５が設けられているが、これは一例であり、本発明はこれに限定されるものではない。
【００３７】
中間転写ベルト１１、作像装置１２ｃ、１２ｍ、１２ｙ、１２ｋ、露光装置１３、給紙装置１４の外側（図１の右側）には、記録媒体搬送路１６が配置されている。記録媒体搬送路１６は、下方から上方にわたって形成されている。記録媒体搬送路１６は、画像形成装置本体１００と画像読取装置２００との間に形成された胴内排紙部１８へと通じている。
【００３８】
記録媒体搬送路１６には、記録媒体Ｐの搬送方向の上流側から下流側に沿って順に、搬送ローラ１９、光学センサ５０、レジストローラ２０、中間転写ベルト１１に対向する二次転写装置２１、定着装置６０、排紙装置２３が配置されている。
【００３９】
また、記録媒体搬送路１６には、定着装置６０の記録媒体搬送方向の下流側に、両面ユニット３００へのスイッチバック用の搬送路３０１が分岐して配置されている。更に、両面ユニット３００には、再給紙路３０２及び再給紙ローラ３０３が配置されている。再給紙ローラ３０３は、搬送路３０１でスイッチバックされた記録媒体Ｐを記録媒体搬送路１６に合流させて再給紙する。
【００４０】
次に、この搬送ローラ１９の上流側から下流側に沿って配置された各構成要素について説明する。
【００４１】
給紙コロ１７は、図１における各給紙カセット１５の右上に設けられており、各給紙カセット１５内の記録媒体Ｐを１枚ずつ繰り出して記録媒体搬送路１６に送り込む。給紙コロ１７は、搬送モータ（図示せず）によって回転駆動される。搬送モータの起動時の初期搬送においては、記録媒体Ｐの搬送性が不安定になりやすい。
【００４２】
記録媒体搬送路１６において、給紙コロ１７の下流側に、記録媒体Ｐを搬送する搬送ローラ１９が配置されている。
【００４３】
記録媒体搬送路１６において、搬送ローラ１９の下流側には、光学センサ５０が設けられている。光学センサ５０の詳細な構成及び機能については後述する。
【００４４】
記録媒体搬送路１６において、搬送ローラ１９及び光学センサ５０よりも下流側に、記録媒体Ｐの搬送タイミング調整用及び搬送のスキュー補正用のレジストローラ２０が配置されている。
【００４５】
記録媒体搬送路１６において、中間転写ベルト１１に隣接して、二次転写装置２１が設けられている。二次転写装置２１は、中間転写ベルト１１に係合して回転する内側のローラと、記録媒体搬送路１６を挟んで内側のローラに圧接する外側のローラとを有する。二次転写装置２１は、中間転写ベルト１１と二次転写装置２１との間に形成された二次転写位置において、中間転写ベルト１１上に形成されたトナー像を記録媒体Ｐに転写する。
【００４６】
記録媒体搬送路１６において、二次転写装置２１の下流側には、定着装置６０が配置されている。定着装置６０は、記録媒体Ｐに熱を加える加熱部材と、記録媒体Ｐに圧力を加える加圧部材とを有し、加熱部材及び加圧部材の間に形成されたニップ部において、記録媒体Ｐを加熱及び加圧する。この結果、記録媒体Ｐ上に転写されたトナー像が記録媒体Ｐ上に定着する。
【００４７】
次に、画像形成装置１でコピーを取る場合を例に採って、画像形成動作について説明する。
【００４８】
画像形成装置１は、画像読取装置２００で読み取った原稿画像の各色のトナー像に対応した潜像を、帯電装置によって一様に帯電した各作像装置１２ｃ、１２ｍ、１２ｙ、１２ｋ上の像担持体上に、露光装置１３を用いて書き込む。
【００４９】
次に、画像形成装置１は、各作像装置１２ｃ、１２ｍ、１２ｙ、１２ｋの像担持体上の各色のトナー潜像に、現像装置から各色のトナーを付与することで、カラーのトナー像を形成する。
【００５０】
次に、画像形成装置１は、像担持体上に形成された各色のトナー像を、一次転写装置２５ｃ、２５ｍ、２５ｙ、２５ｋを用いて、順次、中間転写ベルト１１上に一次転写することで、所望のカラー画像を形成する。
【００５１】
その一方で、画像形成装置１は、二段構成の給紙カセット１５における給紙コロ１７の一方を選択的に回転させて、対応する給紙カセット１５から記録媒体Ｐを繰り出す。又は、画像形成装置１は、手差し給紙装置３６から給紙路３７に手差しの記録媒体Ｐを繰り出す。
【００５２】
次に、画像形成装置１は、給紙カセット１５又は手差し給紙装置３６から繰り出された記録媒体Ｐを記録媒体搬送路１６に搬入する。
【００５３】
次に、画像形成装置１は、記録媒体搬送路１６を通して搬送ローラ１９まで搬送された記録媒体Ｐを、レジストローラ２０の調整によって、中間転写ベルト１１上に形成されたトナー像とタイミングを取って、二次転写装置２１の二次転写位置に搬送する。画像形成装置１は、二次転写装置２１によって中間転写ベルト１１上のカラー画像を記録媒体Ｐに転写する。
【００５４】
次に、画像形成装置１は、カラー画像が転写された記録媒体Ｐを定着装置６０に搬送し、定着装置６０のニップ部において記録媒体Ｐを加熱及び加圧することで、記録媒体Ｐにカラー画像としてのトナー像を定着する。
【００５５】
ここで、記録媒体Ｐの裏面にも画像を形成する場合には、画像形成装置１は、片面にカラー画像が定着した記録媒体Ｐを、搬送経路を切り替える切替爪（図示せず）を利用して、両面ユニット３００に搬送する。
【００５６】
そして、画像形成装置１は、両面ユニット３００に搬送した記録媒体Ｐを、スイッチバック機構（図示せず）によって表面と裏面とを反転した後、給紙路３７を経て再び記録媒体搬送路１６に搬入する。
【００５７】
その後、画像形成装置１は、中間転写ベルト１１上に形成された裏面用のカラー画像を、表面の場合と同様に記録媒体Ｐに二次転写し、定着装置６０によって二次転写されたカラー画像を記録媒体Ｐに定着する。
【００５８】
記録媒体Ｐへのカラー画像の定着がすべて終了したときは、画像形成装置１は、排紙装置２３によってカラー画像が定着した記録媒体Ｐを胴内排紙部１８上に排紙する。
【００５９】
上記した一連の画像形成動作において、定着装置６０によって二次転写されたカラー画像を記録媒体Ｐに定着する処理は、画像品質に極めて重要な影響を及ぼす。このため、記録媒体Ｐの平滑度を高精度に検出する必要がある。記録媒体Ｐの平滑度の検出位置は、搬送ローラ１９から二次転写装置２１に至る前までの記録媒体搬送路１６、本実施の形態では、上記したように、搬送ローラ１９とレジストローラ２０との間の位置である。
【００６０】
レジストローラ２０によって先端部が一時停止された記録媒体Ｐは、後端部が搬送ローラ１９から離れるまでは、記録媒体Ｐの条件により搬送性が不安定になる。すなわち、記録媒体Ｐの種類、材質、厚さ、湿度、塗工状態、初期搬送等の条件により、異なる搬送経路をたどることで、搬送性が不安定になる。
【００６１】
したがって、光学センサ５０は、記録媒体搬送路１６内を搬送される記録媒体Ｐの搬送性が不安定な場合であっても、その平滑度を正確に検出する必要がある。
【００６２】
更に、記録媒体Ｐのすき目の方向と記録媒体Ｐに光を照射する方向との関係によって、平滑度の検出誤差が発生する。したがって、光学センサ５０は、記録媒体Ｐのすき目の方向によって生じる検出誤差を抑制する必要がある。
【００６３】
次に、光学センサ５０の構造及び動作について説明する。
【００６４】
図２は、光学センサ５０の概略図である。光学センサ５０は、光源５１と、コリメートレンズ５２と、光検出器５３と、アパーチャ５４とを有する。なお、図２においては、１つの光学センサ５０を示しているが、後述するように、本実施の形態においては、複数の光学センサ５０を配置している。そして、これら複数の光学センサ５０の光検出器５３が、図２に示すように、制御部５５に接続されている。
【００６５】
光源５１は、面発光レーザ（ＶＣＳＥＬ：Vertical Cavity Surface Emitting Laser）によって形成されている。そのため、光源５１は、安定した光源としてＬＥＤや端面ＬＤ（Laser Diode）を使用する場合よりも、ＦＦＰ（Far Field Pattern）を抑えることができ、より精度の高い光学系を形成することができる。ＦＦＰとは、ビームの拡がり角を意味する値である。なお、光源５１は、面発光レーザに限らず他の種類の光源でもよい。
【００６６】
コリメートレンズ５２は、光源５１と記録媒体Ｐの照射面との間に設けられ、光源５１から照射される光をコリメート光に変換する凸面のレンズである。コリメートとは、光源から発光されるレーザ光を拡散も収束もしない平行な光の束にすることを意味する。したがって、コリメート光とは、平行な状態に調整されたレーザ光を意味する。
【００６７】
コリメートレンズ５２によって、光源５１から照射されるレーザ光の記録媒体Ｐへの入射角及びコリメート光の平行性を調整することにより、光学センサ５０から得られる平滑度の精度が向上する。
【００６８】
アパーチャ５４は、記録媒体Ｐの照射面と光検出器５３との間に設けられ、光検出器５３に入射する反射光の入射角を制限する。アパーチャ５４を設けることにより、光学センサ５０は、光源５１から照射されて記録媒体Ｐの照射面で反射された反射光の光量を確保しつつ、反射光に混じった散乱光を制限することで、散乱光によって平滑度検出の精度が低下するのを防止する。
【００６９】
光学センサ５０の光検出器５３は、記録媒体Ｐによって反射された光の強度を電圧に変換して検出信号として出力する光電変換回路である。光学センサ５０の光検出器５３は、正反射光の強度に応じた検出信号を制御部５５に出力する。制御部５５は、複数の光学センサ５０から入力される反射光の強度を示す検出信号に対して、例えば、制御プログラムによる計算処理を施して、記録媒体Ｐの正規の平滑度を確定する制御手段を構成する。
【００７０】
正反射光の強度は、記録媒体Ｐの平滑度に比例する。すなわち、表面に光沢のある記録媒体Ｐから得られる正反射光の強度は大きく、表面が粗い記録媒体Ｐから得られる正反射光の強度は小さい。したがって、正反射光の強度が記録媒体Ｐの平滑度を表すことになる。すなわち、記録媒体Ｐの平滑度は、光学センサ５０の正反射光の強度に正比例するので、光学センサ５０は平滑度検出手段を構成することになる。
【００７１】
例えば、制御部５５は、複数の光学センサ５０の各々が、記録媒体Ｐの搬送方向の所定範囲において、光源５１の複数回の照射で取得する複数回の正反射光の光の強度に対応する平滑度の平均値を算出する。制御部５５は、その算出した平滑度の平均値が所定値以上である光学センサ５０による反射光の強度である平滑度を、記録媒体Ｐの正規の平滑度として確定する。
【００７２】
この場合において、例えば、平滑度の平均値が所定値以上の光学センサ５０が複数あるときは、平滑度の平均値が最も大きい光学センサ５０のものを正規の平滑度として採用する。なお、平滑度の平均値を所定値と比較することなく、すべての光学センサ５０から得られた平滑度のうち、最も大きい平均値を正規の平滑度として採用するような構成にしてもよい。この場合は、平均値と所定値とを比較する演算処理は不要となる。
【００７３】
なお、制御部５５は、複数の光学センサ５０の中から、経年変化によって機能が劣化した光学センサ５０を除くために、記録媒体Ｐによって反射された正反射光の光の強度が所定値以上の機能が正常な光学センサ５０を指定することもできる。制御部５５は、指定した光学センサ５０からの平滑度を、記録媒体Ｐの正規の平滑度として確定するような構成にしてもよい。
【００７４】
次に、画像形成装置１における画像形成制御について説明する。
【００７５】
図３は、画像形成装置１の各構成を示す機能ブロック図である。図３において、画像形成装置１は、装置全体を制御するＣＰＵ１０１を有する。ＣＰＵ１０１は、バスを介して接続された各要素との間で指令及びデータを授受して、画像形成装置１の機能を実現する。
【００７６】
図３に示すように、ＣＰＵ１０１のバスには、メモリ部１０２が接続されている。また、ＣＰＵ１０１のバスには、給紙カセット１５、手差し給紙装置３６、排紙装置２３、記録媒体搬送路１６、画像読取装置２００、両面ユニット３００の要素が接続されている。なお、図１において示した給紙カセット１５、手差し給紙装置３６、排紙装置２３等の重複した説明は省略する。
【００７７】
ＣＰＵ１０１は、メモリ部１０２のＲＯＭ（Read Only Memory）１０３にあらかじめ記憶されているプログラムコード及び定着制御パターンに従って、画像形成装置１全体を制御する。この場合において、ＣＰＵ１０１は、メモリ部１０２のＲＡＭ（Random Access Memory）１０４をデータバッファとして、制御処理に必要なデータを一時的に記憶する。
【００７８】
ＣＰＵ１０１のバスには、定着装置６０が接続されている。定着装置６０は、熱源制御回路６１、熱源６２、Ａ／Ｄ変換部６３、サーミスタ６４、及び加圧制御回路６５を有する。また、定着装置６０には、光学センサ５０及び制御部５５が接続されている。
【００７９】
熱源制御回路６１は、ＣＰＵ１０１からの指令に基づいて、熱源６２を制御して、加熱部材に熱量を供給する。定着装置６０のＡ／Ｄ変換部６３は、加熱部材に設けられたサーミスタ６４から得られる加熱部材の現在温度をアナログ信号からデジタル信号に変換してＣＰＵ１０１に出力する。加圧制御回路６５は、ＣＰＵ１０１からの指令に基づいて、加圧部材における圧力を制御する。
【００８０】
また、ＣＰＵ１０１のバスには、二次転写装置２１が接続されている。二次転写装置２１は、制御部５５から平滑度を供給された電流制御回路１０５が出力した転写電流値に基づいて、記録媒体Ｐへのトナー像の転写を制御する。
【００８１】
また、ＣＰＵ１０１のバスには、Ａ／Ｄ変換部１０６が接続されている。Ａ／Ｄ変換部１０６は、電圧検出部１０７から出力される電圧値をアナログ信号からデジタル信号に変換してＣＰＵ１０１に出力する。ＣＰＵ１０１は、その電圧値に基づいて、画像形成装置１が安定した電圧を維持するように制御する。
【００８２】
また、ＣＰＵ１０１のバスには、インターフェース部１０８が接続されている。インターフェース部１０８は、パソコン等の外部通信機器１１０が接続されるインターネット等のネットワーク１１１と画像形成装置１とを接続する。また、インターフェース部１０８は、ハードディスク装置やＵＳＢメモリ等の情報記憶素子１０９から取り込んだ情報をＣＰＵ１０１に出力する。
【００８３】
次に、光学センサ５０、制御部５５、及び定着装置６０によって実行される加熱部材に対する熱供給量の制御について説明する。
【００８４】
図４は、光学センサ５０から出力された検出信号により、制御部５５が算出した記録媒体Ｐの平滑度に基づいて、定着装置６０が加熱部材への熱供給量の制御を変更する場合のプロセスを示す図である。定着装置６０は、算出された記録媒体Ｐの平滑度に応じて、記録媒体Ｐに画像を定着する場合に用いるパラメータ群の各パラメータ値を変更する。
【００８５】
まず、光学センサ５０は、時刻Ｔ０において、記録媒体Ｐの先端が光学センサ５０と対向する位置に到達すると、制御部５５の指示に応じて記録媒体Ｐの平滑度の検出を開始する。
【００８６】
次に、光学センサ５０及び制御部５５は、搬送速度ｖで搬送される記録媒体Ｐの平滑度の検出処理を、時刻Ｔ０から時刻Ｔ１まで実行する。すなわち、光学センサ５０は、検出開始の時刻Ｔ０から検出終了の時刻Ｔ１の期間に、光源５１からコリメートレンズ５２を介してレーザ光を記録媒体Ｐの表面に照射する。
【００８７】
また、光学センサ５０は、アパーチャ５４を通過して光検出器５３に入射した記録媒体Ｐからの反射光の強度に応じた検出信号、すなわち記録媒体Ｐの平滑度を算出するための検出信号を制御部５５に出力する。
【００８８】
光学センサ５０は、記録媒体搬送路１６の異なる位置に複数設置されているので、複数の光学センサ５０は、検出開始時刻Ｔ０から検出終了時刻Ｔ１の期間に、反射光の光の強度に対応する複数の検出信号を取得することになる。
【００８９】
制御部５５は、時刻Ｔ２において、時刻Ｔ０から時刻Ｔ１の期間に取得した複数の検出信号によって、記録媒体Ｐの平滑度の検出値を確定する。ここで、時刻Ｔ２は、時刻Ｔ０から時刻Ｔ１の期間に取得した検出信号に基づいて、記録媒体Ｐの平滑度の検出値を確定するのに十分な時刻である。
【００９０】
反射光の強度と記録媒体Ｐの平滑度との間には相関性（比例関係）があるので、制御部５５は、例えば、反射光の光の強度が最も大きい検出信号を選択して、記録媒体Ｐの平滑度の検出値を確定する。あるいは、複数の検出信号による検出値を平均して、記録媒体Ｐの平滑度の検出値を確定してもよい。
【００９１】
次に、定着装置６０は、制御部５５から入力された平滑度の確定値に基づいて、時刻Ｔ３において、加熱部材における定着設定温度及び加熱部材に与える熱供給量を確定する。この定着設定温度及び熱供給量は、記録媒体Ｐに画像を定着する場合に用いるパラメータ群のパラメータ値である。
【００９２】
なお、熱供給量の決定方法として、記録媒体Ｐの平滑度と定着設定温度との相関関係を予め実験によって求めておき、平滑度の検出値と定着設定温度との関係を表すテーブルを制御部５５に記憶してもよい。
【００９３】
あるいは、記録媒体Ｐの平滑度と定着設定温度との相関関係を表す数式を実験結果の分析によって決定し、その数式を実現するプログラムを制御部５５に記憶してもよい。この場合には、制御部５５は、光学センサ５０から入力される検出信号に応じて、その数式実現のプログラムを実行して、記録媒体Ｐの平滑度を算出する。
【００９４】
定着装置６０は、時刻Ｔ４において、加熱部材に対する熱供給を開始する。具体的には、定着装置６０の熱源制御回路６１が、確定した熱供給量を熱源６２に与えて、熱供給を開始する。この熱供給開始の時刻Ｔ４も、記録媒体Ｐに画像を定着する場合に用いるパラメータ群のパラメータ値である。
【００９５】
熱供給開始の時刻Ｔ４は、サーミスタ６４及びＡ／Ｄ変換部６３を介して得られる加熱部材の現在温度、加熱部材における定着設定温度、記録媒体搬送路１６の長さＬ、記録媒体Ｐの搬送速度ｖ等に応じて決定されることになる。
【００９６】
定着装置６０の加熱部材は、時刻Ｔ５において、ニップ部の温度が目標温度すなわち定着設定温度に到達する。定着装置６０の熱源制御回路６１は、サーミスタ６４によってフィードバックされるニップ部の現在温度と定着設定温度とを比較する。熱源制御回路６１は、記録媒体Ｐのトナー像の定着が終了するまで、ニップ部の温度が定着設定温度を維持するように温度制御を行う。
【００９７】
一方、記録媒体Ｐは、時刻Ｔ０において、先端が複数の光学センサ５０のうち最初の光学センサ５０に対向する搬送位置に達し、時刻Ｔ６において、先端がニップ部に到達する。時刻Ｔ０から時刻Ｔ６までの期間に搬送される記録媒体Ｐの搬送長さＬと、記録媒体Ｐの搬送速度ｖとにより、時刻Ｔ６は、Ｔ０＋Ｌ／ｖで表される。
【００９８】
このように、定着装置６０は、制御部５５からの確定した平滑度に基づいて定着設定温度を変更する。定着装置６０は、変更した定着設定温度に基づいて、加熱部材に与える熱供給量を確定する。定着装置６０は、定着設定温度に到達した後のニップ部により記録媒体Ｐのトナー像を定着する。
【００９９】
次に、記録媒体搬送路１６における記録媒体Ｐに対する平滑度検出手段である光学センサ５０の位置関係について、図５を参照して説明する。
【０１００】
記録媒体Ｐの種類、材質、厚さ、湿度、塗工状態、初期搬送等の条件によって、異なる搬送経路をたどる記録媒体Ｐの平滑度の検出のために、本実施の形態においては、複数の光学センサ５０を記録媒体搬送路１６に対して異なる位置に配置する。
【０１０１】
本実施の形態においては、複数の光学センサとして３つ又は２つの光学センサ５０を記録媒体搬送路１６に対して異なる位置に配置した場合を例に採って説明する。なお、図５では、便宜上３つの光学センサ５０を配置した例を示しているが、光学センサ５０Ａ及び光学センサ５０Ｂ又は光学センサ５０Ａ及び光学センサ５０Ｃのように、２つの光学センサ５０を配置する構成でもよい。
【０１０２】
図５において、（ａ）は記録媒体Ｐに対する光学センサ５０の位置を示す平面図であり、（ｂ１）、（ｂ２）は搬送方向に直行する幅方向から見た側面図であり、（ｃ１）、（ｃ２）は搬送方向から見た側面図である。図５（ａ）に示すように、３つの光学センサ５０Ａ、５０Ｂ及び５０Ｃの光源５１と光検出器５３とを結ぶ線分の方向は平行になっている。
【０１０３】
図５（ａ）及び（ｂ１）、（ｂ２）に示すように、１つの光学センサ５０Ａのほかに、実線の矢印で示す搬送方向の異なる位置に光学センサ５０Ｂが設けられている。
【０１０４】
図５（ｂ１）、（ｂ２）において、光学センサ５０Ａ及び光学センサ５０Ｂの光源５１から記録媒体の表面に照射されたレーザ光の反射光を、光検出器５３が適切に受光するための各光学センサ５０と記録媒体との距離をＤとする。
【０１０５】
図５（ｂ１）、（ｂ２）に示すように、光学センサ５０Ａと光学センサ５０Ｂとは、記録媒体搬送路１６の搬送面からの高さ（記録媒体表面からの高さ）が異なっている。光学センサ５０Ａ及び光学センサ５０Ｂが正確な平滑度を検出するための基準面をそれぞれ点線ＳＡ及びＳＢで示す。各光学センサ５０は、記録媒体Ｐの表面がこの基準面（実際には、ある程度の幅がある）を通過するときに、正確な平滑度を検出することができる。
【０１０６】
すなわち、各光学センサ５０は、記録媒体の表面が基準面の近傍にない場合には、適切な検出信号、すなわち、光検出器５３が十分な強度の光を受光した場合の検出信号を出力できないものとする。図５（ｂ１）、図５（ｂ２）におけるレーザ光を示す矢印は、各光学センサ５０と記録媒体の表面との距離がＤである場合、すなわち、記録媒体Ｐの表面が基準面を通過する場合を想定したものである。
【０１０７】
いま、図５（ｂ１）に示すように、波打つように湾曲した記録媒体Ｐ１が、光学センサ５０Ａ及び光学センサ５０Ｂの位置に搬送されてきたとする。この場合には、光学センサ５０Ａは適切な検出信号を出力することができるが、光学センサ５０Ｂは適切な検出信号を出力することができない。
【０１０８】
あるいは、図５（ｂ２）に示すように、波打つように湾曲した記録媒体Ｐ２が、光学センサ５０Ａ及び光学センサ５０Ｂの位置で、かつ、記録媒体Ｐ１よりも各光学センサ５０から離れた位置に搬送されてきたとする。この場合には、光学センサ５０Ｂは適切な検出信号を出力することができるが、光学センサ５０Ａは適切な検出信号を出力することができない。
【０１０９】
このように、搬送性が不安定な記録媒体Ｐ１又は記録媒体Ｐ２が搬送された場合でも、２つの光学センサ５０Ａ及び光学センサ５０Ｂを配置することで、図３に示した制御部５５に適切な検出信号を供給することができる。
【０１１０】
図５（ｃ１）、図５（ｃ１）においても、光学センサ５０Ａと光学センサ５０Ｃとは、記録媒体表面からの高さが異なっている。ただし、基準面については省略している。この場合も、各光学センサ５０は、記録媒体の表面が距離Ｄの近傍にない場合には、適切な検出信号を出力できないものとする。
【０１１１】
図５（ｃ１）の場合、記録媒体Ｐ３は、坪量が１０６〜２００ｇ／ｍ２の厚紙である。この場合には、光学センサ５０Ａは適切な検出信号を出力することができるが、光学センサ５０Ｃは適切な検出信号を出力することができない。
【０１１２】
図５（ｃ２）の場合、記録媒体Ｐ４は、坪量が６０〜９０ｇ／ｍ２の厚さが薄い普通紙である。この場合には、光学センサ５０Ｃは適切な検出信号を出力することができるが、光学センサ５０Ａは適切な検出信号を出力することができない。
【０１１３】
このように、厚さが異なるＰ３又は記録媒体Ｐ４が搬送された場合でも、２つの光学センサ５０Ａ及び光学センサ５０Ｃを異なる高さで配置することで、図３に示した制御部５５に適切な検出信号を供給することができる。
【０１１４】
なお、３つの光学センサ５０Ａ、５０Ｂ及び５０Ｃのうち、光学センサ５０Ａ、５０Ｂの組み合わせ、及び、光学センサ５０Ａ、５０Ｃの組み合わせについて説明した。しかし、これに限定されず、光学センサ５０Ｂ、５０Ｃの組み合わせ、又は、光学センサ５０Ａ、５０Ｂ及び５０Ｃの組み合わせも可能であることはいうまでもない。
【０１１５】
いずれの組み合わせの場合も、複数の光学センサ５０の全てが同じタイミングで検出信号を出力する。
【０１１６】
更に、記録媒体Ｐの搬送方向を実線の矢印で示したが、点線の矢印で示す方向を搬送方向とする構成も可能である。この場合も、各光学センサ５０の光源５１と光検出器５３とを結ぶ線分の方向は平行になっている。
【０１１７】
このように、複数の光学センサ５０の光源５１と光検出器５３とを結ぶ線分の方向は平行になっていることで、記録媒体の繊維の方向（これを「すき目」という）に起因する検出誤差を抑制する。以下、図６を参照して、すき目による検出誤差の抑制について説明する。
【０１１８】
図６において、記録媒体Ｐのすき目（点線で表示）は、矢印で示す横搬送（横通紙）の搬送方向と直角になっている。また、図６（ａ）においては、２つの光学センサ５０Ａ及び５０Ｂの光源５１と光検出器５３とを結ぶ線分が、すき目の方向と直角に配置されている。一方、図６（ｂ）においては、２つの光学センサ５０Ａ及び５０Ｂの光源５１と光検出器５３とを結ぶ線分が、すき目の方向と平行に配置されている。
【０１１９】
図６（ａ）に示すように、光源５１と光検出器５３とを結ぶ線分が、すき目の方向と直角に配置されているほうが、図６（ｂ）に示すように、すき目の方向と平行に配置されているより、光検出器５３における光の強度が大きい。一般に、記録媒体Ｐの中で最も多く使用されているのが、図６（ａ）に示す搬送方向の普通紙Ａ４の横搬送である。
【０１２０】
一般に、記録媒体のすき目の方向については、ユーザが知ることはできない。このため、光学センサ５０が１つだけ配置されている場合には、光検出器５３における光の強度が比較的小さい場合、その原因が不安定な搬送性によるものなのか又はすき目の方向性によるものかを判断することができない。
【０１２１】
しかし、複数の光学センサ５０の全ての光源５１と光検出器５３とを結ぶ線分が互いに平行になるように配置すれば、各々の検出信号に含まれる光の強度を比較することで、不安定な搬送性が起因しているか否かを判別できる。
【０１２２】
検出信号に含まれる光の強度の差が大きい場合には、その差は不安定な搬送性が起因している。この場合には、光の強度が最大の検出信号によって平滑度を検出する。一方、検出信号に含まれる光の強度の差が小さい場合には、光の強度が比較的小さい原因は、記録媒体のすき目の影響である。この場合には、例えば、検出信号に含まれる光の強度の平均値によって平滑度を検出する。
【０１２３】
なお、記録媒体Ｐのすき目の方向が搬送方向と平行な場合も、図６の場合と同様に、複数の光学センサ５０の全ての光源５１と光検出器５３とを結ぶ線分が互いに平行になるように配置する。したがって、各々の検出信号に含まれる光の強度を比較することで、不安定な搬送性が起因しているか否かを判別できる。
【０１２４】
複数の光学センサ５０の全ての光源５１と光検出器５３とを結ぶ線分が、記録媒体Ｐのすき目の方向と平行であるか又は直角であるかにかかわらず、光の強度に差がある場合には、光の強度が最大の検出信号によって平滑度を検出する。光の強度と平滑度との間には相関性があるからである。平滑度が高いほど、光の強度も大きい。
【０１２５】
このように、複数の光学センサ５０の全ての光源５１と光検出器５３とを結ぶ線分が互いに平行になるように配置することで、記録媒体Ｐのすき目に起因する検出誤差を抑制することができる。
【０１２６】
以上説明したように、本実施の形態においては、画像形成装置１は、記録媒体Ｐの平滑度を検出するために、複数の光学センサ５０を備えている。各光学センサ５０は、記録媒体Ｐに光を照射する光源５１と、光源５１より照射され記録媒体Ｐによって反射された正反射光の光の強度を検出する光検出器５３とを有する。制御部５５は、光学センサ５０によって検出された光の強度によって記録媒体Ｐの平滑度を検出する。
【０１２７】
この場合において、光学センサ５０が記録媒体Ｐの搬送される記録媒体搬送路１６の異なる位置に複数配置され、かつ、複数の光学センサ５０における光源５１と光検出器５３とを結ぶ線分の方向が平行になるように配置されている。
【０１２８】
したがって、記録媒体Ｐの平滑度を検出するための光学センサ５０を記録媒体搬送路１６の異なる位置に複数配置することにより、正反射光の光の強度が大きい値の光学センサ５０によって記録媒体Ｐの平滑度を検出する。したがって、記録媒体Ｐの搬送性が不安定な場合であっても、記録媒体Ｐの平滑度を高精度に検出することができる。
【０１２９】
更に、複数の光学センサ５０における光源５１と光検出器５３とを結ぶ線分の方向が平行になるように配置したので、記録媒体Ｐのすき目の方向に対して、すべての光学センサ５０における光源５１と光検出器５３とを結ぶ線分の方向が同じ条件となる。したがって、記録媒体Ｐのすき目の方向と光学センサ５０の配置方向とがランダムの場合に比べて、平滑度の検出誤差を抑制することができる。
【０１３０】
複数の光学センサ５０は、記録媒体搬送路１６を搬送される記録媒体Ｐの表面との間隔が互いに異なるように配置されているように構成してもよい。
【０１３１】
この場合には、記録媒体Ｐの種類、材質、厚さ、湿度、塗工状態、初期搬送等の条件によって、記録媒体Ｐの搬送経路が一定の範囲に収まらない場合でも、記録媒体Ｐの平滑度を高精度に検出することができる。
【０１３２】
また、本実施の形態において、複数の光学センサ５０は、光源５１と光検出器５３とを結ぶ線分の方向が、記録媒体Ｐの搬送方向と平行となるように配置されているように構成してもよい。例えば、ユーザが最も多く使用する記録媒体Ｐは、すき目が縦の普通紙Ａ４の横搬送であることから、記録媒体Ｐのすき目と光源５１と光検出器５３とを結ぶ線分の方向とが直角になる。
【０１３３】
したがって、多くのユーザにとって汎用性の高い記録媒体Ｐについて平滑度の検出が可能となる。
【０１３４】
また、本実施の形態において、制御部５５は、複数の光学センサ５０の各々が、記録媒体Ｐの搬送方向の所定範囲において、光源５１の複数回の照射で取得する複数回の正反射光の光の強度により表される平滑度の平均値を算出するようにしてもよい。制御部５５は、その算出した平滑度の平均値が所定値以上である光学センサ５０による平滑度を、記録媒体Ｐの正規の平滑度として確定するような構成にしてもよい。
【０１３５】
この場合には、制御部５５は、複数の光学センサ５０の各々が取得する複数個所の反射光の強度を平均して、正規の平滑度を確定するので、発生頻度が低い特異な状態を排除することができる。この結果、反射光の光の強度と平滑度との間の高い相関性により、記録媒体Ｐの平滑度を高精度に検出することができる。
【０１３６】
また、本実施の形態において、制御部５５は、複数の光学センサ５０の中から、記録媒体Ｐによって反射された正反射光の光の強度が所定値以上の光学センサ５０を指定する構成にしてもよい。制御部５５は、その指定した光学センサ５０からの平滑度を、記録媒体Ｐの正規の平滑度として確定する。
【０１３７】
この場合には、経年変化によって性能が劣化した光学センサ５０があった場合でも、正常な性能の光学センサ５０のみを選択して、その選択した光学センサ５０を用いて、記録媒体Ｐの平滑度を高精度に検出することができる。
【０１３８】
また、本実施の形態において、定着装置６０は、制御部５５によって確定された記録媒体Ｐの平滑度により、記録媒体Ｐに転写された画像の定着に必要な熱供給量を制御する。
【０１３９】
したがって、記録媒体Ｐの搬送性が不安定な場合であっても、記録媒体Ｐの平滑度を高精度に検出することで、記録媒体Ｐに転写したトナー像の定着のために、加熱部材に与える最適な熱供給量を確定することができる。この結果、画像形成装置１の省エネ性が向上するとともに、画像の定着品質を一定に維持することができる。
【０１４０】
なお、上記実施の形態の変形例として、複数の光学センサ５０の中から、記録媒体Ｐの搬送方向の所定範囲において、光源５１からの複数回の出射により記録媒体Ｐによって反射された複数回の正反射光の光の強度の平均値が最小の光学センサ５０を選択してもよい。そして、選択した光学センサ５０によって検出した記録媒体Ｐの平滑度に基づいて、記録媒体Ｐに転写された画像の定着に必要な熱供給量を制御する構成にしてもよい。
【０１４１】
この場合には、記録媒体Ｐの種類、材質、厚さ、湿度、塗工状態、初期搬送等の条件によって、記録媒体Ｐの平滑度が非常に悪い場合でも、良好な画像品質を得ることができる。
【０１４２】
また、上記実施の形態では、記録媒体Ｐにおいて、トナー像を転写する面（いわゆる印字面）に対向して複数の光学センサ５０を配置する構成にしたが、配置条件によっては、印字裏面に対向して光学センサを配置してもよい。
【符号の説明】
【０１４３】
１  画像形成装置
１６  記録媒体搬送路
５０  光学センサ（平滑度検出手段）
５１  光源
５３  光検出器
５５  制御部（制御手段）
６０  定着装置
Ｐ  記録媒体
【先行技術文献】
【特許文献】
【０１４４】
【特許文献１】特許第４９４４３０８号公報（特開２００２−３４０５１８号公報）
【特許文献２】特開２０１２−１９４４５号公報
【特許文献３】特開平１０−１６０６８７号公報
【特許文献４】特開２００６−６２８４２号公報
【図１】
2015079211.tif 000003
【図２】
2015079211.tif 000004
【図３】
2015079211.tif 000005
【図４】
2015079211.tif 000006
【図５】
2015079211.tif 000007
【図６】
2015079211.tif 000008